(57)【要約】【課題】  光学式ピックアップに組み込まれている対物レンズの信号トラック方向への変位に伴って発生するコマ収差を補正するコマ収差補正方法を提供する。【解決手段】  光学式ピックアップ９に組み込まれている対物レンズ４の基準位置からトラック方向への変位距離を求め、求められた距離に基づいてコマ収差を補正するべく設けられている収差補正素子８を制御することによって対物レンズ４の変位に伴って発生するコマ収差を補正するように構成されている。【選択図】    図１
2007026585.tif 000002
【特許請求の範囲】
【請求項１】
対物レンズのトラック方向への変位に伴って発生するコマ収差を補正する収差補正素子が組み込まれている光学式ピックアップから照射されるレーザー光を光ディスクの信号面に合焦させるフォーカスサーボ回路及びレーザー光を信号トラックに追従させるトラッキングサーボ回路を備えた光ディスク装置のコマ収差補正方法であり、光学式ピックアップに組み込まれている対物レンズの基準位置からトラック方向への変位距離を求め、求められた距離に基づいて前記収差補正素子を制御することによってコマ収差を補正するようにしたことを特徴とする光ディスク装置のコマ収差補正方法。
【請求項２】
対物レンズの基準位置からの変位距離をトラッキングサーボ回路からトラッキングコイルへ供給されるトラッキングコイル駆動信号に含まれる直流電圧から求めるようにしたことを特徴とする請求項１に記載のコマ収差補正方法。
【請求項３】
求められた変位距離に基づく収差補正素子の制御動作を収差補正データメモリー回路に記憶されているデータに基いて行うようにしたことを特徴とする請求項１に記載のコマ収差補正方法。
【請求項４】
対物レンズの変位距離に基づくコマ収差補正動作を光ディスクに記録されている信号の再生動作中又は該光ディスクへの信号の記録動作中に行うようにしたことを特徴とする請求項１に記載のコマ収差補正方法。
【発明の詳細な説明】
【技術分野】
【０００１】
本発明は、光学式ピックアップに組み込まれているレーザーダイオードから照射されるレーザー光にて光ディスクに記録されている信号の再生動作及び該ディスクへの信号の記録動作を行う光ディスク装置に関し、特にコマ収差補正方法に係る。
【背景技術】
【０００２】
光学式ピックアップから照射されるレーザー光によって光ディスクに記録されている信号の再生動作や該ディスクに信号を記録する動作を行うように構成された光ディスク装置が普及している。
【０００３】
現在、一般に普及している光ディスクとしては、ＣＤ系光ディスク及びＣＤ系光ディスクより高密度であるＤＶＤ系光ディスクがある。また、最近では、ブルーレーザーを用いて信号の記録再生動作を行うＢｌｕ−Ｒａｙ規格やＡＯＤ（Ａｄｖａｎｃｅｄ  Ｏｐｔｉｃａｌ  Ｄｉｓｃ）規格が提案されており、これらの規格を用いた光ディスクや光ディスク装置の商品化が進められている。
【０００４】
光ディスク装置では、光学式ピックアップから照射されるレーザー光をディスクの信号トラックに追従させるトラッキング制御動作が行われるが、斯かるトラッキング制御動作は対物レンズを光学式ピックアップ本体に対してトラック方向へ変位させる動作及びピックアップ送り用モーターによって光学式ピックアップ本体をトラック方向へ移動させる動作によって行われる。
【０００５】
そして、斯かるトラッキング制御動作は、対物レンズを変位させるべく設けられているトラッキングコイルに供給されるトラッキングコイル駆動信号に含まれる直流電圧の値が所定の電圧に達したとき、ピックアップ送り用モーターを回転駆動することによって光学式ピックアップ本体を移動させることによって行うように構成されている。
【０００６】
有限系と呼ばれる光学系にて構成された光学式ピックアップは、コリメータレンズを必要としないので、安価にて製造することが出来るものの対物レンズが変位することによってコマ収差量が大きく変化するという特徴がある。
【０００７】
斯かるコマ収差が大きく変化すると、光ディスクの信号面に照射されるレーザー光のスポット形状が変化するため、光ディスクに記録されている信号の再生動作や該光ディスクへの信号の記録動作を正確に行えないという問題がある。斯かる問題を解決するためにコマ収差を補正する機能が組み込まれた光学式ピックアップに関する技術が開発されている(例えば、特許文献１参照。)。
【０００８】
また、光学式ピックアップにおいて問題となる収差としては、前述したコマ収差だけでなく球面収差や非点収差があり、斯かる収差の補正動作を行う方法として液晶素子を利用して行うようにした技術が開発されている(例えば、特許文献２参照。)。
【特許文献１】特開２００２−３３４４６７号公報
【特許文献２】特開２００４−３０３３０１号公報
【発明の開示】
【発明が解決しようとする課題】
【０００９】
光学式ピックアップにおいて、対物レンズの変位に伴って発生するコマ収差は、液晶素子を使用することによって補正することは出来るもののその補正制御動作をどのように行うかが問題になる。
【００１０】
本発明は、特許文献２に記載されているような収差補正素子が組み込まれている光学式ピックアップを使用してコマ収差の補正動作を容易に行うことが出来るコマ収差補正方法を提供しようとするものである。
【課題を解決するための手段】
【００１１】
本発明は、光学式ピックアップに組み込まれている対物レンズの基準位置からトラック方向への変位距離を求め、求められた距離に基づいて収差補正素子を制御することによってコマ収差を補正するように構成されている。
【００１２】
また、本発明は、対物レンズの基準位置からの変位距離をトラッキングサーボ回路からトラッキングコイルへ供給されるトラッキングコイル駆動信号に含まれる直流電圧から求めるように構成されている。
【００１３】
そして、本発明は、対物レンズの変位距離に基づくコマ収差補正動作を光ディスクに記録されている信号の再生動作中又は該光ディスクへの信号の記録動作中に行うように構成されている。
【発明の効果】
【００１４】
本発明は、光学式ピックアップに組み込まれている対物レンズの基準位置からトラック方向への変位距離を求め、求められた距離に基づいて収差補正素子を制御することによってコマ収差を補正するようにしたので、光学式ピックアップ本体と対物レンズの位置関係に適したコマ収差補正を行うことが出来る。
【００１５】
また、本発明は、対物レンズの基準位置からの変位距離をトラッキングサーボ回路からトラッキングコイルへ供給される駆動電圧から求めるようにしたので、構成が簡単になるという利点がある。
【００１６】
そして、本発明は、求められた変位距離に基づく収差補正素子の制御動作を収差補正データメモリー回路に記憶されているデータに基いて行うようにしたので、製造時に多くのデータをメモリー回路に記憶させるようにすれば、より正確なコマ収差の補正動作を行うことが出来る。
【００１７】
また、本発明は、対物レンズの変位距離に基づくコマ収差補正動作をディスクに記録されている信号の再生動作中又は該ディスクへの信号の記録動作中に行うようにしたので、即ち動作中にコマ収差の補正が正確に行われるので、ディスクからの信号の再生動作及びディスクへの信号の記録動作を正確に行うことが出来る。
【発明を実施するための最良の形態】
【００１８】
本発明は、光学式ピックアップに組み込まれているコマ収差補正素子に対する制御動作をトラッキングコイル駆動信号に含まれる直流電圧を検出することによって行うものである。
【実施例】
【００１９】
図１は本発明に係る光ディスク装置の一実施例を示すブロック回路図、図２は本発明に係る光学式ピックアップと光ディスクとの関係を示す概略図である。
【００２０】
まず、図２を参照して説明する。同図において、１はレーザー光を放射するレーザーダイオード、２は前記レーザーダイオード１から放射されるレーザー光を通過させるとともに光ディスク３の信号面３Ａから反射されるレーザー光を分岐させるビームスプリッタ、４は前記ビームスプリッタ２を通過したレーザー光を前記信号面３Ａに合焦させる対物レンズであり、４本ワイヤー(図示せず)等の支持部材にて支持されているレンズホルダーに固定されているとともに光ディスク３の信号面３Ａに対して垂直方向及び光ディスク３の径方向、即ちトラック方向への変位を可能に設けられている。
【００２１】
５は前記レンズホルダーに設けられているトラッキングコイルであり、光学式ピックアップの本体に固定されているマグネットとの協働によりレンズホルダーを光ディスク３の信号面３Ａに設けられている信号トラック方向(矢印Ａ及びＢ)へ変位させる作用を有するものである。
【００２２】
６は前記光ディスク３の信号面３Ａから反射されたレーザー光が対物レンズ４及びビームスプリッタ２を介して入射されるレンズであり、光検出器７に反射光であるレーザー光を照射させる作用を成すものである。８は液晶パネル等にて構成されている収差補正素子であり、特開２００４−３０３３０１号公報に記載されているような液晶素子を制御することによってコマ収差の補正を行うことが出来るように構成されている。
【００２３】
以上に説明したように本発明に係る光学式ピックアップは構成されているが、次に図１を参照して本発明のコマ収差補正方法について説明する。同図において、９は前述した光学式ピックアップであり、前述したレーザーダイオード１、対物レンズ４、トラッキングコイル５、光検出器７及び収差補正素子８が組み込まれているとともに対物レンズ４を光ディスク３の面方向へ変位させるフォーカスコイル１０が組み込まれている。
【００２４】
斯かる構成において、光学式ピックアップ９の本体は、ピックアップ送り用モーター１１によって光ディスク３の径方向に変位せしめられるように構成されているが、斯かる駆動機構は周知の機構を利用すればよいので、その説明は省略する。また、前記光検出器７は、４分割された光検出器等にて構成することが出来、その構成は周知であるのでその説明は省略する。
【００２５】
１２は前記光検出器７から得られる電気信号が光信号として入力される光出力信号処理回路であり、レーザー光の信号トラックに対するズレをを示すトラッキングエラー信号を生成するトラッキングエラー信号生成回路(図示せず)及びレーザー光の信号面３Ａに対するフォーカスのズレを示すフォーカスエラー信号を出力するフォーカスエラー信号生成回路(図示せず)が組み込まれている。斯かるトラッキングエラー信号生成回路及びフォーカスエラー信号生成回路は、周知の技術を利用すれば良く、その説明は省略する。
【００２６】
そして、前記光出力信号処理回路１２には、光ディスク３に記録されている信号の再生信号を波形整形することによって２値化した信号を生成する信号再生回路(図示せず)が組み込まれている。斯かる光出力信号処理回路１２による各種信号の生成動作は周知の回路にて行われるので、その説明は省略する。
【００２７】
１３は前記光出力信号処理回路１２に組み込まれているトラッキングエラー信号生成回路によって生成されるトラッキングエラー信号が入力されるトラッキングサーボ回路であり、入力されるトラッキングエラー信号に基づくトラッキングコイル駆動信号を前記トラッキングコイル５に供給することによってトラッキング制御動作を行うように構成されている。
【００２８】
１４は前記光出力信号処理回路１２に組み込まれているフォーカスエラー信号生成回路
によって生成されるフォーカスエラー信号が入力されるフォーカスサーボ回路であり、入力されるフォーカスエラー信号に基づくフォーカスコイル駆動信号を前記フォーカスコイル１０に供給することによってフォーカス制御動作を行うように構成されている。
【００２９】
前記フォーカスサーボ回路１４からフォーカスコイル１０に供給されるフォーカスコイル駆動信号は、対物レンズ４を光ディスク３の信号面３Ａに合焦させる位置である動作位置に変位させる直流電圧と光ディスク３の面振動に伴うフォーカスズレを補正するために対物レンズ４を高速で変位させる高周波信号とにより構成されているが、斯かる信号は周知であるので、その説明は省略する。
【００３０】
また、前記トラッキングサーボ回路１３からトラッキングコイル５に供給されるトラッキングコイル駆動信号は、対物レンズ４を光学式ピックアップ９の本体に対してトラック方向に変位させる直流電圧と光ディスク３の振動に伴うトラッキングズレを補正するために対物レンズ４を高速で変位させる高周波信号とにより構成されているが、斯かる信号は周知であるので、その説明は省略する。
【００３１】
１５は前記光出力信号処理回路１２内に設けられている２値化回路によって２値化された再生信号が入力されるとともにデジタル信号処理を行うデジタル信号処理回路であり、光ディスク３に記録されている同期信号、位置情報データ及び記録信号等の各種の信号を復調するように構成されている。１６は光ディスク装置の各動作を制御するシステム制御回路であり、前記デジタル信号処理回路１５にて復調されて生成される同期信号を利用してスピンドルモーターによる光ディスク３の回転制御動作や再生信号及び記録信号の処理動作、そして外部に設けられているパーソナルコンピューター等のホスト機器とインターフェース回路(図示せず)にて接続されており、該インターフェース回路を介して信号の送受信動作等を行うことが出来るように構成されている。
【００３２】
斯かるシステム制御回路１６は、マイクロコンピューターにて構成されており、内部に設けられているフラッシユＲＯＭ等の記憶素子に記憶されているプログラムソフトに基づいて各種の制御動作を行うように構成されている。
【００３３】
１７はホスト機器から入力される記録信号やシステム制御回路１６にて生成されるテスト信号が入力される信号記録用回路であり、光ディスク３の信号規格に合わせて記録信号をインターリーブ等のエンコード処理する作用を有している。斯かる信号記録用回路１７によるエンコード処理動作は、周知であるのでその説明は省略する。
【００３４】
１８は前記信号記録用回路１７によってエンコード処理された記録信号が入力されるレーザー駆動信号生成回路であり、記録信号に対応した記録用パルス信号を生成するように構成されている。即ち、例えばＤＶＤ規格の光ディスクの場合には、記録信号に対応させて３Ｔ、４Ｔ…１４Ｔの長さのピットを光ディスク３の信号面３Ａに形成するためのパルス信号を生成するように構成されている。
【００３５】
１９は前記レーザー駆動信号生成回路１８より生成出力される駆動信号に応じて前記レーザーダイオード１を駆動する信号を出力するレーザー駆動回路である。斯かるレーザー駆動回路１９は、光学式ピックアップ９内に組み込まれているとともにレーザーダイオード１から放射されるレーザー光の出力をモニターするべく設けられているモニター用ダイオードから得られるモニター信号を利用してレーザーダイオード１から放射されるレーザー光の出力を設定された出力になるように制御する機能が組み込まれている。
【００３６】
２０は前記トラッキングサーボ回路１３からトラッキングコイル５に供給される駆動信号の中から前述した対物レンズ４をトラック方向に変位させる直流電圧を検出する駆動電
圧値検出回路であり、検出された電圧値を対応したデジタル値に変更してシステム制御回路１６に入力するように構成されている。
【００３７】
光ディスク３をターンテーブル(図示せず)に載置させてスピンドルモーターによって該ターンテーブルを回転駆動することによって該光ディスク３の回転駆動動作は行われるが、斯かる状態にあるときフォーカスサーボ回路１４によるフォーカス制御動作が行われる。即ち、光ディスク３の信号面３Ａから反射されるレーザー光が光検出器７に照射されると、該光検出器７から得られる信号に基づくフォーカスエラー信号が光出力信号処理回路１２にて生成されてフォーカスサーボ回路１４に印加され、該フォーカスサーボ回路１４によるフォーカス制御動作が行われる。
【００３８】
前記フォーカスサーボ回路１４によるフォーカス制御動作は、フォーカスコイル１０に駆動信号を供給することにより対物レンズ４を信号面３Ａに対して垂直方向へ変位させることによって行われるが、斯かる動作はフォーカスエラー信号のレベルを小さくする方向に対物レンズ４を変位させるように行われる。
【００３９】
また、光ディスク３に記録されている信号の再生動作や該光ディスク３に信号を記録する動作を行う状態では、トラッキングサーボ回路１３によるトラッキング制御動作が行われる。即ち、光ディスク３の信号面３Ａから反射されるレーザー光が光検出器７に照射されると、該光検出器７から得られる信号に基づくトラッキングエラー信号が光出力信号処理回路１２にて生成されてトラッキングサーボ回路１３に印加され、該トラッキングサーボ回路１３によるトラッキング制御動作が行われる。
【００４０】
前記トラッキングサーボ回路１３によるトラッキング制御動作は、トラッキングコイル５に駆動信号を供給することにより対物レンズ４を信号トラック方向へ変位させることによって行われるが、斯かる動作はトラッキングエラー信号のレベルを小さくする方向に対物レンズ４を変位させるように行われる。
【００４１】
２１は前記ピックアップ送り用モーター１１に駆動信号を供給するピックアップ送り用モーター駆動回路であり、前記駆動電圧値検出回路２０によって検出される電圧値が所定値に達すると該ピックアップ送り用モーター１１を所定量だけ回転する信号を出力するように構成されている。即ち、対物レンズ４は、トラッキングサーボ回路１３からトラッキングコイル５に供給されるトラッキングコイル駆動信号に含まれる直流電圧によってトラック方向へ変位されるが、信号トラックに対する追従動作が行われるに従って対物レンズの変位量が大きくなる。
【００４２】
そして、この対物レンズ４の変位量が所定量に達すると、それ以上の変位を行うと信号の読み取り動作等に支障があるため、ピックアップ送り用モーター１１を回転させる動作が行われる。斯かるピックアップ送り用モーター１１を回転させる動作を行うと光学式ピックアップ９の本体が対物レンズ４を変位させた方向と同一方向に変位されるので、対物レンズ４の変位量が減少せしめられる。
【００４３】
前述したようにピックアップ送り用モーター１１の回転動作による光学式ピックアップ９の本体の移動動作は行われるが、斯かる移動動作により対物レンズ４の位置が光学式ピックアップ９の本体の基準位置、例えば中立位置、即ちトラッキングコイル５に駆動信号が供給されていない状態における位置に復帰させるように行われる。
【００４４】
トラッキングサーボ回路１３からトラッキングコイル５に供給されるトラッキングコイル駆動信号に含まれる直流電圧の値を検出することによって対物レンズ４の基準位置に対するトラック方向への変位量を認識することが出来るので、駆動電圧値検出回路２０によ
って検出された駆動電圧値が入力されるシステム制御回路１６による距離算出動作が行われる。
【００４５】
２２は対物レンズ４の基準位置からの信号トラック方向への変位距離に応じてコマ収差を補正するデータが記憶される収差補正データメモリー回路であり、前記システム制御回路１６によってデータ信号の書き込み読み出し動作が制御されるように構成されている。
【００４６】
２３は前記光学式ピックアップ９に組み込まれている収差補正素子８の動作を制御する収差補正素子制御回路であり、前記収差補正データメモリー回路２２に記憶されているデータに基いてシステム制御回路１６から出力される制御信号により前記収差補正素子８によるコマ収差補正動作を制御するように構成されている。
【００４７】
以上に説明したように本発明に係る光ディスク装置は構成されているが、次に動作について説明する。光ディスク３に記録されている信号の再生動作を行う場合には、スピンドルモーターの回転駆動制御動作が行われ、光ディスク３は所定の線速度一定の状態にて回転駆動されることになる。斯かる線速度を一定にするための制御動作は、光ディスク３から読み出される同期信号とシステム制御回路１６により制御されるべく接続されている同期信号生成回路(図示せず)から生成される同期信号とを同期させることによって行われるが、斯かる動作は周知であるのでその説明は省略する。
【００４８】
光ディスク３に記録されている信号を再生するためにレーザー駆動回路１９からレーザーダイオード１に供給される駆動信号は、再生動作を行うために必要なレーザー出力が得られる値になるように設定されている。前記レーザーダイオード１から放射されるレーザー光は、ビームスプリッタ２を透過した後収差補正素子８を通して対物レンズ４に入射される。該対物レンズ４に入射されたレーザー光は、該対物レンズ４によって集光されて光ディスク３の信号面３Ａに合焦されることになるが、斯かる合焦動作は、フォーカスサーボ回路１４による制御動作によって行われる。
【００４９】
前記フォーカスサーボ回路１４によるフォーカス制御動作は、光ディスク３の信号面３Ａから反射されたレーザー光が照射される光検出器７より得られる信号を利用して行われる。前記光検出器７から得られる信号は、光出力信号処理回路１２に入力され、その信号に基づいてフォーカスエラー信号が生成され、そのフォーカスエラー信号はフォーカスサーボ回路１４に入力される。斯かるフォーカスエラー信号がフォーカスサーボ回路１４に入力されると、該フォーカスサーボ回路１４からフォーカスコイル１０に対してフォーカスエラー信号のレベルを小さくする方向に対物レンズ４を変位させる駆動信号が供給される。斯かる駆動信号がフォーカスコイル１０に供給される結果、レーザー光を光ディスク３の信号面３Ａに合焦させる動作、即ちフォーカス制御動作を行うことが出来る。
【００５０】
前述したようにフォーカス制御動作は行われるが、トラッキング制御動作も同様に行うことが出来る。レーザーダイオード１から放射されるレーザー光のスポットが光ディスク３の信号面３Ａに形成されている信号トラックから外れると、その外れの大きさに対応したレベルのトラッキングエラー信号が光出力信号処理回路１２から出力される。
【００５１】
斯かるトラッキングエラー信号が、トラッキングサーボ回路１３に入力されると、該トラッキングサーボ回路１３からトラッキングコイル５に対してトラッキングエラー信号のレベルを小さくする方向に対物レンズ４を変位させる駆動信号が供給される。斯かる駆動信号が、トラッキングコイル５に供給される結果、レーザー光のスポットを光ディスク３の信号面３Ａに設けられている信号トラックに追従させる動作、即ちトラッキング制御動作を行うことが出来る。
【００５２】
前述したようにトラッキングサーボ回路１３による対物レンズ４に対するトラッキング制御動作は行われるが、信号トラックに対するレーザー光の追従動作が行われ、対物レンズ４の変位量が所定量に達すると、即ち駆動電圧値検出回路２０によって検出される直流電圧値が設定値に達すると、前述したようにピックアップ送り用モーター１１の回転駆動動作が行われて光学式ピックアップ９本体の移動動作が行われることになる。
【００５３】
前述した光学式ピックアップ９におけるフォーカス制御動作及びトラッキング制御動作が行われる結果、光ディスク３の信号面３Ａに形成されている信号トラック上に記録されている信号のレーザー光による読み取り動作を行うことが出来る。光ディスク３の信号面３Ａには、長さの異なる複数のピットにより信号が記録されており、斯かるピットの長さに応じて２値化された信号が光出力信号処理回路１２から出力される。
【００５４】
前記光出力信号処理回路１２から出力される２値化信号は、デジタル信号処理回路１５に入力され、該デジタル信号処理回路１５によって信号の復調動作が行われる。前記デジタル信号処理回路１５によって復調されたデータ信号は、システム制御回路１６及びインターフェース回路を介してパーソナルコンピューター等へ出力されることになる。
【００５５】
以上に説明したように本実施例における再生動作は行われるが、次に信号の記録動作について説明する。記録動作時におけるスピンドルモーターによる光ディスク３の回転制御動作、トラッキングサーボ回路１３によるトラッキング制御動作及びフォーカスサーボ回路１４によるフォーカス制御動作は、前述した再生動作時の動作と同様に行われる。
【００５６】
パーソナルコンピューターより出力される記録信号は、インターフェース回路及びシステム制御回路１６を介して信号記録用回路１７に入力されるとともに該信号記録用回路１７によってエンコード処理される。前記信号記録用回路１７によってエンコード処理された記録信号は、レーザー駆動信号生成回路１８に入力されるので、該レーザー駆動信号生成回路１８は、入力される記録信号に応じた長さのピットを光ディスク３の信号面３Ａに形成されている信号トラックに形成するためのパルス信号をレーザー駆動回路１９に対して出力する。
【００５７】
斯かる場合にレーザー駆動回路１９に供給される駆動信号のパルス波形は、光ディスク３の記録特性に対応させて記録ストラテジメモリー(図示せず)に記憶されているストラテジデータに基づいて形成されることになる。このようにして生成制御されたパルス波形の駆動信号がレーザー駆動回路１９に供給されると、そのパルス波形に対応した駆動信号が該レーザー駆動回路１９からレーザーダイオード１に対して供給される。
【００５８】
斯かる駆動信号がレーザーダイオード１に供給されると、該レーザーダイオード１から供給されるパルス信号に応じたレーザー光が放射され、そのレーザー光が光ディスク３の信号面３Ａに照射されるので、信号トラックにピットが形成されることになる。斯かる動作によって形成されるピットの長さは、ＤＶＤ規格の光ディスクの場合には、３Ｔ、４Ｔ…１４Ｔとなる。
【００５９】
以上に説明したように本実施例における再生動作及び記録動作は行われるが、次に本発明の要旨であるコマ収差補正方法について説明する。
【００６０】
図２に示した光学式ピックアップを構成する光学系は、対物レンズ４に入射されるレーザー光が平行光ではなく、一般に有限系と呼ばれている。斯かる有限系と呼ばれる光学系を使用した光学式ピックアップは、無限系ピックアップのようにレーザー光を平行光にして対物レンズ４に入射させるコリメータと呼ばれるレンズを必要としないので、安価になるものの対物レンズ４の光ディスク３の信号面３Ａに対する光軸がずれるとコマ収差量の
変化が大きく信号の再生動作や記録動作に悪影響を与えるという問題がある。
【００６１】
本発明は、斯かるコマ収差を補正する方法を提供するものであり、以下その方法について説明する。光学式ピックアップ９に組み込まれている対物レンズ４の基準位置、例えばトラッキングコイル５に駆動信号を供給しない状態における対物レンズ４の位置を基準位置として設定する。
【００６２】
次に、トラッキングコイル９に供給される駆動電圧を段階的に変更させて対物レンズ４の位置を信号トラック方向へ変位させるとともにその位置と基準位置との間の距離を求め、その距離に適したコマ収差の補正動作を行うために収差補正素子８を制御するデータを求め、そのデータをテーブルデータとして収差補正データメモリー回路２２に記憶させる動作を行う。
【００６３】
前述したように再生動作及び記録動作を行っている状態では、トラッキングサーボ回路１３によるトラッキング制御動作が行われるが、斯かる状態にあるとき駆動電圧値検出回路２０による駆動電圧の検出動作が行われた状態にある。前記駆動電圧値検出回路２０による検出動作は、トラッキングサーボ回路１３からトラッキングコイル５に供給される駆動信号の中の直流電圧に対して行われる。
【００６４】
トラッキングコイル５に供給される駆動信号に含まれる直流電圧の変化は、対物レンズ４の基準位置からのトラック方向への変位量を示すものであり、収差補正データメモリー回路２２に記憶されている収差補正データの読み出し動作が行われる。
【００６５】
このようにして対物レンズ４の基準位置からの変位距離に応じた収差補正データが読み出されると、その収差補正データに基く収差補正制御信号がシステム制御回路１６から収差補正素子制御回路２３に対して出力されることになる。斯かる収差補正制御信号が収差補正素子制御回路２３に入力されると、該収差補正素子制御回路２３から収差補正素子８対して収差補正駆動信号が出力される。
【００６６】
斯かる収差補正駆動信号が収差補正素子８に供給されると、該収差補正素子８によるコマ収差に対する補正動作が行われるので、対物レンズ４の信号トラック方向への変位によって生じるコマ収差を補正するための動作が行われる。従って、光ディスク３の信号面３Ａには、収差のないレーザー光のスポットを照射させることが出来るので、信号の再生動作や記録動作を正確に安定した状態にて行うことが出来る。
【図面の簡単な説明】
【００６７】
【図１】本発明に係る光ディスク装置の一実施例である。
【図２】本発明に係る光学式ピックアップと光ディスクとの関係を示す概略図である。
【符号の説明】
【００６８】
１        レーザーダイオード
３        光ディスク
４        対物レンズ
５        トラッキングコイル
７        光検出器
８        収差補正素子
９        光学式ピックアップ
１２        光出力信号処理回路
１３        トラッキングサーボ回路
１６        システム制御回路
２０        駆動電圧値検出回路
２２        収差補正データメモリー回路
【図１】
2007026585.tif 000003
【図２】
2007026585.tif 000004